(57)【要約】【課題】定点カメラの位置を容易に知ることができる撮影システムを提供する。【解決手段】サーバ１０は、各地に点在する定点カメラC1、C2、…の位置情報が記録された定点カメラデータベースを有している。ユーザが携帯電話機２０から現在位置の情報をサーバに送信すると、ユーザの現在位置付近に存在する定点カメラが定点カメラデータベースから検索される。そして、その検索された定点カメラの位置情報がユーザの携帯電話機２０に送信され、表示部に表示される。【選択図】      図１
2006115381.tif 000002
【特許請求の範囲】
【請求項１】
各地に点在する定点カメラを利用して記念写真を撮影する撮影システムであって、
各定点カメラの設置位置の情報が格納されたデータベースと、
ユーザの端末から送信されるユーザの現在位置の情報を受信する受信手段と、
ユーザの現在位置の付近に存在する定点カメラを前記データベースから検索する検索手段と、
前記検索手段で検索された定点カメラの位置情報をユーザの端末に送信する送信手段と、
を有するサーバを備えたことを特徴とする撮影システム。
【請求項２】
前記ユーザの端末は、現在位置を計測する位置計測手段を有し、該位置計測手段で計測された現在位置の情報を前記サーバに送信することを特徴とする請求項１に記載の撮影システム。
【請求項３】
各地に点在する定点カメラを利用して記念写真を撮影する撮影システムであって、
各定点カメラの設置位置の情報が格納されたデータベースと、
ユーザの端末から送信されるユーザの移動ルートの情報を受信する受信手段と、
ユーザの移動ルートの付近に存在する定点カメラを前記データベースから検索する検索手段と、
前記検索手段で検索された定点カメラの位置情報をユーザの端末に送信する送信手段と、
を有するサーバを備えたことを特徴とする撮影システム。
【請求項４】
前記データサーバには、各定点カメラの設置位置の情報とともに、各定点カメラで撮影された画像のデータが記録され、
前記送信手段は、前記検索手段で検索された定点カメラの位置情報とともに、その定点カメラで撮影された画像のデータをユーザの端末に送信することを特徴とする請求項１、２又は３に記載の撮影システム。
【請求項５】
各地に点在する定点カメラを利用して記念写真を撮影する撮影システムであって、
各定点カメラの設置位置の情報が格納されたデータベースと、
ユーザの端末から常時又は定期的に送信されるユーザの現在位置の情報を受信する受信手段と、
ユーザの現在位置の付近に存在する定点カメラを前記データベースから検索する検索手段と、
前記検索手段で定点カメラが検索されると、ユーザの端末に定点カメラ検出情報を送信する送信手段と、
を有するサーバを備えたことを特徴とする撮影システム。
【請求項６】
前記ユーザの端末は、前記サーバから送信された定点カメラ検出情報を受信すると、ユーザに音、光又は振動によって告知する告知手段を有することを特徴とする請求項５に記載の撮影システム。
【請求項７】
前記検索手段は、あらかじめユーザによって選択された定点カメラの中からユーザの現在位置の付近に存在する定点カメラを検索することを特徴とする請求項５又は６に記載の撮影システム。
【発明の詳細な説明】
【技術分野】
【０００１】
本発明は撮影システムに係り、特に各地に点在する定点カメラで記念写真を撮影する撮影システムに関する。
【背景技術】
【０００２】
観光地やテーマパークなどにおいて、撮影に好適な場所に定点カメラを設置し、その定点カメラを使って来場者が記念写真を撮影できるようにしたシステムが提案されている（たとえば、特許文献１）。このシステムでは、来場者に定点カメラを操作するリモコンが貸与され、来場者は、そのリモコンを使って定点カメラを操作し、記念写真を撮影する。撮影された画像データは、センターに送信され、センターでプリントされて、来場者に提供される。
【特許文献１】特開平１１−２１５４２１号公報
【発明の開示】
【発明が解決しようとする課題】
【０００３】
ところで、上記の撮影システムは、観光地やテーマパークなど限られた地域内だけで行っている場合は問題ないが、広範囲に展開した場合（たとえば、日本全土に定点カメラを設置してサービスを展開した場合）、どこにカメラが設置されているか、ユーザが把握できなくなるという問題がある。
【０００４】
本発明は、このような事情に鑑みてなされたもので、定点カメラの位置を容易に知ることができる撮影システムを提供することを目的とする。
【課題を解決するための手段】
【０００５】
請求項１に係る発明は、前記目的を達成するために、各地に点在する定点カメラを利用して記念写真を撮影する撮影システムであって、各定点カメラの設置位置の情報が格納されたデータベースと、ユーザの端末から送信されるユーザの現在位置の情報を受信する受信手段と、ユーザの現在位置の付近に存在する定点カメラを前記データベースから検索する検索手段と、前記検索手段で検索された定点カメラの位置情報をユーザの端末に送信する送信手段と、を有するサーバを備えたことを特徴とする撮影システムを提供する。
【０００６】
本発明によれば、ユーザが端末から現在位置の情報をサーバに送信すると、ユーザの現在位置付近に存在する定点カメラがデータベースから検索され、その位置情報がユーザの端末に送信される。これにより、ユーザは、どこに定点カメラが存在するか、容易に把握することができるようになる。
【０００７】
請求項２に係る発明は、前記目的を達成するために、前記ユーザの端末は、現在位置を計測する位置計測手段を有し、該位置計測手段で計測された現在位置の情報を前記サーバに送信することを特徴とする請求項１に記載の撮影システムを提供する。
【０００８】
本発明によれば、ユーザの端末に現在位置を計測する位置計測手段が設けられており、この位置計測手段で計測された現在位置情報がサーバに送信される。
【０００９】
請求項３に係る発明は、前記目的を達成するために、各地に点在する定点カメラを利用して記念写真を撮影する撮影システムであって、各定点カメラの設置位置の情報が格納されたデータベースと、ユーザの端末から送信されるユーザの移動ルートの情報を受信する受信手段と、ユーザの移動ルートの付近に存在する定点カメラを前記データベースから検索する検索手段と、前記検索手段で検索された定点カメラの位置情報をユーザの端末に送信する送信手段と、を有するサーバを備えたことを特徴とする撮影システムを提供する。
【００１０】
本発明によれば、ユーザの移動ルートを端末からサーバに送信すると、その移動ルートの付近に存在する定点カメラがデータベースから検索され、結果がユーザの端末に送信される。これにより、移動ルート上に存在する定点カメラの位置を容易に把握することができる。
【００１１】
請求項４に係る発明は、前記目的を達成するために、前記データサーバには、各定点カメラの設置位置の情報とともに、各定点カメラで撮影された画像のデータが記録され、前記送信手段は、前記検索手段で検索された定点カメラの位置情報とともに、その定点カメラで撮影された画像のデータをユーザの端末に送信することを特徴とする請求項１、２又は３に記載の撮影システムを提供する。
【００１２】
本発明によれば、定点カメラの位置情報とともに、その定点カメラで撮影された画像のデータがユーザの端末に送信される。これにより、その定点カメラが、具体的にどのようなアングルで撮影しているかを知ることができるので、より正確かつ簡単に定点カメラの位置を把握することができる。
【００１３】
請求項５に係る発明は、前記目的を達成するために、各地に点在する定点カメラを利用して記念写真を撮影する撮影システムであって、各定点カメラの設置位置の情報が格納されたデータベースと、ユーザの端末から常時又は定期的に送信されるユーザの現在位置の情報を受信する受信手段と、ユーザの現在位置の付近に存在する定点カメラを前記データベースから検索する検索手段と、前記検索手段で定点カメラが検索されると、ユーザの端末に定点カメラ検出情報を送信する送信手段と、を有するサーバを備えたことを特徴とする撮影システムを提供する。
【００１４】
本発明によれば、ユーザの端末から常時又は定期的にユーザの現在位置の情報がサーバに送信され、現在位置付近に定点カメラが存在するか検出される。そして、ユーザの現在位置付近に定点カメラが存在することが検出されると、ユーザの端末に定点カメラ検出情報が送信される。これにより、定点カメラの存在を見過ごしてしまい、撮影チャンスを逃すのを効果的に防止することができる。
【００１５】
また、請求項６に係る発明は、前記目的を達成するために、前記ユーザの端末は、前記サーバから送信された定点カメラ検出情報を受信すると、ユーザに音、光又は振動によって告知する告知手段を有することを特徴とする請求項５に記載の撮影システムを提供する。
【００１６】
本発明によれば、定点カメラ検出情報を受信すると、ユーザの端末が音、光又は振動によって定点カメラの存在をユーザに告知する。これにより、定点カメラの存在をユーザに容易に気づかせることができる。
【００１７】
また、請求項７に係る発明は、前記目的を達成するために、前記検索手段は、あらかじめユーザによって選択された定点カメラの中からユーザの現在位置の付近に存在する定点カメラを検索することを特徴とする請求項５又は６に記載の撮影システムを提供する。
【００１８】
本発明によれば、あらかじめユーザによって選択された定点カメラの中からのみユーザの現在位置の付近に存在する定点カメラが検索される。これにより、不容易に定点カメラ検出情報を端末が受信してしまうのを防止することができる。
【発明の効果】
【００１９】
本発明に係る撮影システムによれば、定点カメラの位置を容易に把握することができる。
【発明を実施するための最良の形態】
【００２０】
以下、添付図面に従って本発明に係る撮影システムを実施するための最良の形態について説明する。
【００２１】
図１は、本発明に係る撮影システムの一実施形態を示すシステム構成図である。同図に示すように、本実施の形態の撮影システム１は、各地に点在する定点カメラC1、C2、…と、その定点カメラC1、C2、…の設置位置のデータベースを有するサーバ１０と、ユーザが携帯する携帯電話機２０とで構成されている。
【００２２】
定点カメラC1、C2、…は、たとえばデジタルカメラで構成され、観光地などの撮影に好適な場所に設置される。
【００２３】
図２は、サーバ１０の電気的構成を示すブロック図である。同図に示すように、サーバ１０は、主として制御部１２、通信部１４、定点カメラデータベース１６で構成されている。制御部１２は、ＣＰＵ、ＲＯＭ、ＲＡＭ等で構成されており、所定の制御プログラムに従ってサーバ全体の動作を統括制御する。通信部１４は、制御部１２による制御の下、携帯電話機１００との間でデータの送受信を行う。定点カメラデータベース１６には、各地に設置された定点カメラC1、C2、…の設置位置の情報が記録されており、ハードディスク装置等の記憶媒体に格納されている。
【００２４】
図３は、携帯電話機２０の電気的構成を示すブロック図である。同図に示すように、携帯電話機２０は、制御部２２、操作部２４、表示部２６、通信部２８、音声処理部３０、スピーカ３２、マイク３４、ＧＰＳ３６等で構成されている。
【００２５】
制御部２２は、、ＣＰＵ、ＲＯＭ、ＲＡＭ等で構成されており、所定の制御プログラムに従って携帯電話機全体の動作を統括制御する。
【００２６】
操作部２４は、テンキー、十字ボタン、電源ボタン等の各種操作ボタンで構成されている。制御部２２は、この操作部２４からの操作入力に応じて携帯電話機２０の各部を制御する。
【００２７】
表示部２６は、たとえば液晶ディスプレイで構成され、制御部２２からの指令に従って所要の文字、図形、画像データを表示する。
【００２８】
通信部２８は、制御部２２の制御の下、アンテナを介して送信するデータの符号化処理を行うとともに、アンテナを介して受信されたデータの復号化処理を行う。
【００２９】
音声処理部３０は、制御部２２の制御の下、所定の音声データを処理して、スピーカ３２から出力する音声信号を生成する。また、マイク３４から入力された音声信号を処理して、所定の音声データを生成する。
【００３０】
ＧＰＳ３６は、アンテナを含み、制御部２２からの指令に基づきＧＰＳ衛星からの電波を受信する。そして、その受信電波を解析して位置情報を取得し、取得した位置情報を制御部２２に出力する。
【００３１】
以上のように構成された携帯電話機２０は、通話モードにおいて、相手との接続が確立すると、マイク３４から入力された音声信号を音声処理部３０で信号処理し、通信部２８から基地局４０に送信する。また、基地局４０から発信された信号を通信部２８で受信し、音声処理部３０で信号処理して、スピーカ３２から出力する。これにより、通信相手との通話が可能になる。
【００３２】
また、携帯電話機２０は、その通信機能を利用して、データの送受信を行うことができるようにされており、操作部２４の操作に応じて、特定の通信相手とデータの送受信を行う。そして、携帯電話機２０は、このデータ通信の機能を利用して、サーバ１０とデータ通信を行い、定点カメラの位置情報を取得する。以下、この定点カメラの位置情報の取得手順について説明する。
【００３３】
図４は、定点カメラの位置情報を取得する手順を示すシーケンス図である。同図に示すように、まず、ユーザは、携帯電話機２０の通信機能を利用して、サーバ１０に接続要求を行う。サーバ１０は、このユーザからの接続要求に応答する。これにより、サーバ１０とユーザの携帯電話機２０との間で接続が確立する。
【００３４】
接続が確立すると、携帯電話機２０は、ＧＰＳ機能を利用して現在位置の計測を行い、計測した現在位置の情報をサーバ１０に送信する。
【００３５】
サーバ１０は、ユーザの携帯電話機２０から送信された現在位置情報を受信すると、受信した現在位置付近の定点カメラを定点カメラデータベース１６から検索する。すなわち、受信した現在位置を中心とした規定の半径Ｒ[Km]以内に存在する定点カメラを定点カメラデータベース１６から検索する。そして、検索した定点カメラの位置情報をユーザの携帯電話機２０に送信する。
【００３６】
ユーザの携帯電話機２０は、サーバ１０から送信された定点カメラの位置情報を取得し、表示部２６にその情報を表示する。
【００３７】
図５は、定点カメラ位置情報の表示例を示す図である。同図（ａ）に示すよう、表示部２６には、定点カメラの所在地（住所）と、その定点カメラの個体番号が表示される。ユーザは、この表示を見て、現在位置付近に存在する定点カメラの位置を確認する。
【００３８】
なお、図５（ａ）に示すように、表示部２６には、定点カメラの所在地と個体番号の情報とともに、ＭＡＰのマークのアイコンとカメラのマークのアイコンが表示される。この表示部２６に表示されたＭＡＰのマークのアイコンをカーソルで選択すると、図５（ｂ）に示すように、その定点カメラの設置位置の地図データが表示部２６に表示される。また、カメラのマークのアイコンをカーソルで選択すると、図５（ｃ）に示すように、その定点カメラで撮影された画像が表示部２６に表示される。これにより、ユーザは、さらに詳細に定点カメラの設置位置を知ることができる。
【００３９】
なお、地図データと画像データは、各定点カメラごとに位置情報と共に定点カメラデータベース１６に格納されているものとする。この地図データと画像データは、定点カメラの位置情報と共にサーバ１０から携帯電話機２０に送信するようにしてもよいし、地図データ又は画像データの送信要求に応じてサーバ１０から携帯電話機２０に送信するようにしてもよい。すなわち、ユーザがＭＡＰのマークのアイコン又はカメラのマークのアイコンをカーソルで選択すると、携帯電話機２０からサーバ１０に地図データ又は画像データの送信要求が送られ、この送信要求に応じてサーバ１０から携帯電話機２０に該当地図データ又は画像データを送信するようにしてもよい。
【００４０】
なお、本実施の形態では、現在位置を中心とした規定の半径Ｒの範囲内の定点カメラを検索するようにしているが、検出範囲をユーザが選択できるようにしてもよい。たとえば、周辺１Km、周辺１０Km、周辺２０Kmというように、ユーザが検出範囲を選択できるようにする。これにより、利用可能な定点カメラの位置をより明確に把握することができるようになる。
【００４１】
また、本実施の形態では、ユーザが自らの操作によって現在位置の情報を送信した場合のみ、周辺に存在する定点カメラを検索するようにしているが、現在位置情報を定期的に自動送信し、定点カメラ位置情報を定期的に自動更新するようにしてもよい。
【００４２】
また、本実施の形態では、携帯電話機２０に備えられたＧＰＳ機能を利用して現在位置を計測し、サーバ１０に送信するようにしているが、ユーザが自ら現在位置情報を入力し、サーバ１０に送信するようにしてもよい。また、接続した基地局の情報を現在位置情報として利用するようにしてもよい。
【００４３】
また、本実施の形態では、検出した定点カメラの所在地の情報を定点カメラ位置情報として携帯電話機２０に送信しているが、その定点カメラで撮影した画像を定点カメラ位置情報として、携帯電話機２０に送信するようにしてもよい。この場合、携帯電話機２０には、受信した画像が表示される（図５（ｃ）参照）。
【００４４】
次に、本発明に係る撮影システムの第２の実施の形態について説明する。
【００４５】
本実施の形態の撮影システムでは、ユーザが、移動ルート携帯電話機からサーバに送信すると、その移動ルート付近に存在する定点カメラが検索され、その位置情報がユーザの携帯電話機に送信される。
【００４６】
なお、システム構成は基本的に上述した第１の実施の形態の撮影システムと同じなので、ここでは移動ルート付近に存在する定点カメラの位置情報を取得する手順についてのみ説明する。
【００４７】
図６は、移動ルート付近に存在する定点カメラの位置情報を取得する手順を示すシーケンス図である。
【００４８】
同図に示すように、まず、携帯電話機２０に移動ルートの入力を行う。図７（ａ）は、移動ルートの入力画面の一例を示している。同図に示すように、移動ルートの設定は、たとえば、施設名や地域名などの通過ポイントを訪問順に入力して行う。入力は、携帯電話機２０に備えられた操作部２４のテンキーなどを利用して入力する。この際、あらかじめ選択可能な施設名や地域名を用意しておき、この中から選択するようにしてもよい。
【００４９】
移動ルートの設定完了後、ユーザは、携帯電話機２０の通信機能を利用して、サーバ１０に接続要求を行う。サーバ１０は、このユーザからの接続要求に応答する。これにより、サーバ１０とユーザの携帯電話機２０との間で接続が確立する。
【００５０】
サーバ１０との接続が確立すると、携帯電話機２０はサーバ１０に設定された移動ルートを送信する。サーバは、この携帯電話機２０から送信された移動ルートの情報を受信し、設定されている通過ポイントごとに、その付近の定点カメラを定点カメラデータベース１６から検索する。すなわち、設定された通過ポイントに最も近い定点カメラを定点カメラデータベース１６から検索する。そして、検索した通過ポイントごとの定点カメラの位置情報をユーザの携帯電話機２０に送信する。
【００５１】
ユーザの携帯電話機２０は、サーバ１０から送信された通過ポイントごとの定点カメラの位置情報を取得し、表示部２６にその情報を表示する。
【００５２】
図７（ｂ）は、設定された通過ポイントごとの定点カメラ位置情報の表示例を示している。同図に示すよう、表示部２６には、設定された通過ポイントごとに定点カメラの所在地と、その定点カメラの個体番号が表示される。ユーザは、この表示を見て、移動ルート付近に存在する定点カメラの位置を確認する。これにより、あらかじめ移動ルート付近に存在する定点カメラを確認することができる。
【００５３】
なお、本例の場合も検索された定点カメラごとにＭＡＰのマークのアイコンとカメラのマークのアイコンが表示される。この表示部２６に表示されたＭＡＰのマークのアイコンをカーソルで選択すると、その定点カメラの設置位置の地図データが表示部２６に表示される（図５（ｂ）参照）。また、カメラのマークのアイコンをカーソルで選択すると、その定点カメラで撮影された画像が表示部２６に表示される（図５（ｃ）参照）。
【００５４】
なお、本実施の形態では、通過ポイントを設定して移動ルートの設定を行うようにしているが、移動ルートの設定方法は、これに限定されるものではない。たとえば、通過経路を設定して移動ルートの設定を行うようにしてもよい。
【００５５】
また、本実施の形態では、各通過ポイントに最も近い定点カメラを検索するようにしているが、各通過ポイントを中心とした規定の半径Ｒ[Km]以内に存在する定点カメラすべてを検索するようにしてもよい。この場合において、検索範囲（Ｒの大きさ）をユーザが任意に設定できるようにしてもよい。
【００５６】
また、本実施の形態では、移動ルートの設定を携帯電話機２０で行うようにしているが、移動ルートの設定は他の端末で行い、検索結果のみを携帯電話機２０で受信するようにしてもよい。
【００５７】
また、上述した第１の実施の形態と同様、定点カメラで撮影した画像を定点カメラ位置情報として、携帯電話機２０に送信するようにしてもよい。
【００５８】
次に、本発明に係る撮影システムの第３の実施の形態について説明する。
【００５９】
本実施の形態の撮影システムでは、定点カメラの近くをユーザが通過すると、近くに定点カメラがあることがユーザの携帯電話機２０に自動で通知される。
【００６０】
なお、システム構成は基本的に上述した第１の実施の形態の撮影システムと同じなので、ここではユーザの近くに定点カメラが存在することを通知する手順についてのみ説明する。
【００６１】
図８は、ユーザの近くに定点カメラが存在することを通知する手順を示すシーケンス図である。
【００６２】
まず、ユーザの携帯電話機２０は、ＧＰＳ機能を利用して現在位置の計測を行う。そして、その計測した現在位置の情報をサーバ１０に送信する。
【００６３】
サーバ１０は、ユーザの携帯電話機２０から送信された現在位置情報を受信すると、受信した現在位置付近の定点カメラを定点カメラデータベース１６から検索する。すなわち、受信した現在位置を中心とした規定の半径Ｒ[Km]以内に存在する定点カメラを定点カメラデータベース１６から検索する。検出されなかった場合は、未検出情報をユーザの携帯電話機２０に送信する。
【００６４】
ユーザの携帯電話機２０は、サーバ１０から未検出情報を取得すると、ＧＰＳ機能を利用して現在位置の計測を行う。そして、その計測した現在位置の情報をサーバ１０に送信する。
【００６５】
このように、携帯電話機２０は定期的に現在位置情報をサーバ１０に送信し、サーバ１０は、送信された現在位置情報に基づいて付近に存在する定点カメラを定点カメラデータベース１６から検索する。そして、定点カメラが検出されると、携帯電話機２０に検出情報を送信する。
【００６６】
携帯電話機２０は、この検出情報を受信すると、表示部２６にその旨（たとえば、「近くに定点カメラがあります！」等）を表示して、近くに定点カメラがあることを告知する。ユーザは、この表示部２６の表示を見て、近くに定点カメラが存在することを把握することができる。
【００６７】
なお、告知方法としては、この他にスピーカ３２から所定の呼び出し音を鳴らして告知するようにしてもよい。また、携帯電話機２０にＬＥＤ等の発光手段が備えられている場合には、この発光手段の点灯、点滅によって告知するようにしてもよい。さらに、携帯電話機２０にバイブレーション機能が備えられている場合には、振動によって告知するようにしてもよい。
【００６８】
このように、本実施の形態の撮影システムでは、ユーザが定点カメラの近くを通過すると、自動で定点カメラの存在を通知するので、ユーザが定点カメラの存在を見過ごして、撮影し忘れる不具合を防止できる。
【００６９】
なお、定点カメラが検出された場合、定点カメラの検出情報を送信するだけでなく、定点カメラの位置情報等を携帯電話機２０に送信し、告知に合わせて位置情報等を表示させるようにしてもよい。
【００７０】
また、定点カメラの検出範囲（半径Ｒの値）や現在位置情報の送信間隔をユーザが選択できるようにしてもよい。
【００７１】
また、上述した第１の実施の形態と同様に接続した基地局の情報を現在位置情報として利用するようにしてもよい。
【００７２】
なお、各地に点在する全ての定点カメラを検索対象とすると、まったく利用を予定していない定点カメラの存在まで告知され、かえって使い勝手が悪くなるおそれがある。そこで、あらかじめ利用する定点カメラを登録しておき、この登録された定点カメラの近くにユーザが来た時のみ検出情報を送信し、ユーザに告知するようにしてもよい。
【００７３】
この場合において、定点カメラの登録は、図９に示すように、あらかじめ用意された使用可能な定点カメラの一覧からユーザが使用する定点カメラを選択して行うものとし、選択された定点カメラの情報はサーバ１０に送信される。サーバ１０は、ユーザの携帯電話機２０から送信された定点カメラの選択情報を取得し、ユーザごとに管理する。サーバ１０は、ユーザの携帯電話機２０から現在位置情報を取得すると、その現在位置情報に基づいて付近の定点カメラを定点カメラデータベースから検索する。そして、検索された定点カメラが、選択された定点カメラか否か判定し、選択された定点カメラの場合にのみユーザの携帯電話機１０に検出情報を送信する（選択された定点カメラでない場合は未検出情報を送信）。これにより、あらかじめ選択された定点カメラのみユーザに告知され、使い勝手が向上する。
【００７４】
なお、上述した一連の実施の形態では、ユーザが利用する端末として、携帯電話機を用いているが、ユーザが利用する端末は、これに限定されるものではない。たとえば、通信機能を備えたＰＤＡやハンディーＧＰＳ等を用いてもよい。あるいは、専用の端末装置を用いてもよい。この場合において、端末装置は少なくともサーバとの通信機能と、定点カメラの位置情報等を表示する表示機能を備えていればよい。
【００７５】
また、ユーザが端末として携帯電話機を利用する場合において、当該携帯電話機がＷＥＢブラウザの機能を備えている場合には、規定のホームページにアクセスし、該ホームページ上で現在位置情報の入力および検索結果の表示を行うようにしてもよい。
【００７６】
また、当該携帯電話機が電子メールの機能を備えている場合には、電子メールにて現在位置情報の送受信、および、検索結果の送受信を行うようにしてもよい。
【図面の簡単な説明】
【００７７】
【図１】本発明に係る撮影システムの一実施形態を示すシステム構成図
【図２】サーバの電気的構成を示すブロック図
【図３】携帯電話機の電気的構成を示すブロック図
【図４】定点カメラの位置情報を取得する手順を示すシーケンス図
【図５】定点カメラ位置情報の表示例を示す図
【図６】移動ルート付近に存在する定点カメラの位置情報を取得する手順を示すシーケンス図
【図７】移動ルートの入力画面と検索結果の表示例を示す図
【図８】ユーザの近くに定点カメラが存在することを通知する手順を示すシーケンス図
【図９】利用する定点カメラの選択画面の表示例を示す図
【符号の説明】
【００７８】
１…撮影システム、１０…サーバ、１２…制御部、１４…通信部、２０…携帯電話機、２２…制御部、２４…操作部、２６…表示部、２８…通信部、３０…音声処理部、３２…スピーカ、３４…マイク、３６…ＧＰＳ、C1、C2、…定点カメラ
【図１】
2006115381.tif 000003
【図２】
2006115381.tif 000004
【図３】
2006115381.tif 000005
【図４】
2006115381.tif 000006
【図５】
2006115381.tif 000007
【図６】
2006115381.tif 000008
【図７】
2006115381.tif 000009
【図８】
2006115381.tif 000010
【図９】
2006115381.tif 000011